(57)【特許請求の範囲】
【請求項１】
原稿の画像を読み取って原稿画像データを生成する画像読取部と、
前記画像読取部による複数回の読取処理で生成される複数の前記原稿画像データにおける非共通部分の視認性を低下させた共通画像データを生成する共通画像生成部と、
を備え、
前記共通画像生成部は、前記複数の原稿画像データにおける同一座標の画素における特定範囲内の画素値を有する画素の比率が第１閾値以上である場合には、前記共通画像データにおける同一座標の画素の画素値を前記特定範囲内の画素値に設定し、前記複数の原稿画像データにおける同一座標の画素における前記特定範囲内の画素値を有する画素の比率が前記第１閾値未満である場合には、前記共通画像データにおける同一座標の画素の画素値を前記特定範囲外の画素値に設定する画像処理装置。
【請求項２】
前記共通画像生成部は、前記複数の原稿画像データにおける同一座標の画素における前記特定範囲内の画素値を有する画素の比率が前記第１閾値以上である場合に、前記共通画像データにおける同一座標の画素の画素値を、前記複数の原稿画像データにおける同一座標の画素における前記特定範囲内の画素値を有する画素の画素値の平均値に設定する、
請求項１に記載の画像処理装置。
【請求項３】
前記共通画像生成部は、前記複数の原稿画像データにおける同一座標の画素における前記特定範囲内の画素値を有する画素の比率が前記第１閾値未満である場合に、前記共通画像データにおける同一座標の画素の画素値を、前記複数の原稿画像データにおける同一座標の画素における前記特定範囲外の画素値を有する画素の画素値の平均値に設定する、
請求項１又は請求項２に記載の画像処理装置。
【請求項４】
ユーザー操作に応じて前記第１閾値を変更する第１閾値制御部を更に備える、
請求項１〜３のいずれかに記載の画像処理装置。
【請求項５】
前記複数の原稿画像データのうちの少なくとも２つの原稿画像データ間の一致度を算出する一致度算出部を更に備える、
請求項１〜４のいずれかに記載の画像処理装置。
【請求項６】
前記一致度算出部によって算出される前記一致度を表示する一致度表示部を更に備える、
請求項５に記載の画像処理装置。
【請求項７】
前記一致度算出部によって算出される前記一致度が第２閾値未満である場合に、原稿の再読取りをユーザーに促す通知を行う通知部を更に備える、
請求項５又は請求項６に記載の画像処理装置。
【請求項８】
前記一致度算出部によって算出される前記一致度に基づいて、前記２つの原稿画像データのうちの少なくとも一方に対して傾き補正を行う傾き補正部を更に備える、
請求項５〜７のいずれかに記載の画像処理装置。
【請求項９】
前記共通画像生成部は、前記共通画像データにおける各画素の画素値を、前記複数の原稿画像データにおける同一座標の画素の画素値の平均値に設定する、
請求項１に記載の画像処理装置。
【請求項１０】
前記共通画像生成部によって生成される前記共通画像データに基づいてシート上に画像を形成する画像形成部を更に備える、
請求項１〜９のいずれかに記載の画像処理装置。
【請求項１１】
原稿の画像を読み取って原稿画像データを生成する画像読取ステップと、
前記画像読取ステップにおける複数回の読取処理で生成される複数の前記原稿画像データにおける非共通部分の視認性を低下させた共通画像データを生成する共通画像生成ステップと、
を備え、
前記共通画像生成ステップは、前記複数の原稿画像データにおける同一座標の画素における特定範囲内の画素値を有する画素の比率が第１閾値以上である場合には、前記共通画像データにおける同一座標の画素の画素値を前記特定範囲内の画素値に設定し、前記複数の原稿画像データにおける同一座標の画素における前記特定範囲内の画素値を有する画素の比率が前記第１閾値未満である場合には、前記共通画像データにおける同一座標の画素の画素値を前記特定範囲外の画素値に設定する画像処理方法。
【発明の詳細な説明】
【技術分野】
【０００１】
本発明は、原稿の画像を処理する画像処理装置及び画像処理方法に関する。
【背景技術】
【０００２】
例えば、記入欄に文字等を記入していない未記入の定型用紙が複数枚必要である場合、未記入の定型用紙が１枚あれば、複写機又は複写機能を有する複合機によって、当該定型用紙の画像を読み取って、当該定型用紙の画像を所望の枚数のシートに印刷することが可能である。
【０００３】
なお、関連技術として、会社のロゴが予め印刷された定型用紙に対して原稿の画像を印刷する際に、原稿の画像に含まれているロゴが、定型用紙に予め印刷されているロゴと重なるのを防止することによって、高画質の印刷物を得ることが可能な画像形成装置が存在する（例えば、特許文献１参照）。この画像形成装置では、前記原稿の画像と前記定型用紙の画像とを比較することによって、前記原稿の画像からロゴが除去される。
【先行技術文献】
【特許文献】
【０００４】
【特許文献１】特開２００９−２７３０６０号公報
【発明の概要】
【発明が解決しようとする課題】
【０００５】
ところで、未記入の定型用紙が必要であるにも関わらず、記入済みの定型用紙しか存在しない場合には、例えば、当該記入済みの定型用紙に記入されている文字又は画像などをユーザーが事前に手作業で消去することが考えられるが、このような作業は手間がかかる。
【０００６】
なお、上記関連技術では、除去対象となる画像が既知であることが必要であるため、定型用紙に任意に記入された不特定の文字又は画像などを除去することはできない。
【０００７】
本発明の目的は、文字又は画像などが任意に記入された定型用紙のような原稿から、未記入又は未記入に近い状態の原稿の画像データを容易に生成することが可能な画像処理装置及び画像処理方法を提供することにある。
【課題を解決するための手段】
【０００８】
本発明の一の局面に係る画像処理装置は、画像読取部と、共通画像生成部と、を備える。前記画像読取部は、原稿の画像を読み取って原稿画像データを生成する。前記共通画像生成部は、前記画像読取部による複数回の読取処理で生成される複数の前記原稿画像データにおける非共通部分の視認性を低下させた共通画像データを生成する。
【０００９】
本発明の他の局面に係る画像処理方法は、画像読取ステップと、共通画像生成ステップと、を備える。前記画像読取ステップでは、原稿の画像が読み取られて原稿画像データが生成される。前記共通画像生成ステップでは、前記画像読取ステップにおける複数回の読取処理で生成される複数の前記原稿画像データにおける非共通部分の視認性を低下させた共通画像データが生成される。
【発明の効果】
【００１０】
本発明によれば、文字又は画像などが任意に記入された定型用紙のような原稿から、未記入又は未記入に近い状態の原稿の画像データを容易に生成することが可能な画像処理装置及び画像処理方法が提供される。
【図面の簡単な説明】
【００１１】
【図１】図１は、本発明の実施形態に係る画像形成装置の外観を示す図である。
【図２】図２は、本発明の実施形態に係る画像形成装置のシステム構成を示すブロック図である。
【図３】図３は、本発明の実施形態に係る画像形成装置で読み取られる原稿の一例を示す図である。
【図４】図４は、本発明の実施形態に係る画像形成装置で生成される共通画像データの一例を示す図である。
【図５】図５は、本発明の実施形態に係る画像形成装置における共通画像データの生成方法の一例を示す図である。
【図６】図６は、本発明の実施形態に係る画像形成装置における共通画像データの生成方法の一例を示す図である。
【図７】図７は、本発明の実施形態に係る画像形成装置における共通画像データの生成方法の一例を示す図である。
【図８】図８は、本発明の実施形態に係る画像形成装置における共通画像データの生成方法の一例を示す図である。
【図９】図９は、本発明の実施形態に係る画像形成装置における共通画像データの生成方法の一例を示す図である。
【図１０】図１０は、本発明の実施形態に係る画像形成装置における共通画像データの生成方法の一例を示す図である。
【図１１】図１１は、本発明の実施形態に係る画像形成装置における共通画像データの生成方法の一例を示す図である。
【図１２】図１２は、本発明の実施形態に係る画像形成装置における共通画像データの生成方法の一例を示す図である。
【図１３】図１３は、本発明の実施形態に係る画像形成装置で実行される復元処理の手順の一例を示すフローチャートである。
【図１４】図１４は、本発明の他の実施形態に係る共通画像データの生成方法の一例を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定する性格のものではない。
【００１３】
［画像形成装置の構成］
図１及び図２に示されるように、本発明の実施形態に係る画像形成装置１は、操作表示部１１、ＡＤＦ１２、画像読取部１３、画像形成部１４、通信Ｉ／Ｆ１５、記憶部１６、及び制御部１７などを備える。具体的に、画像形成装置１は、プリンター機能、スキャナー機能、コピー機能、及びファクシミリ機能などを有する複合機である。なお、本発明は、複合機に限らず、コピー機、スキャナー、プリンター、ファクシミリ装置のように、画像読取部によって原稿の画像を読み取ることが可能な任意の画像処理装置に適用可能である。
【００１４】
操作表示部１１は、情報を表示する液晶ディスプレーなどの表示部と、ユーザー操作を受け付けるタッチパネル及び操作ボタンなどの操作部とを備える。
【００１５】
ＡＤＦ１２は、原稿セット部、搬送ローラー、原稿押さえ、及び排紙部を備え、画像読取部１３の読み取り対象となる原稿を搬送する自動原稿搬送装置である。
【００１６】
画像読取部１３は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１７】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は感光体ドラム、帯電器、露光装置、現像装置、転写装置、及び定着装置などを備える。
【００１８】
通信Ｉ／Ｆ１５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１９】
記憶部１６は、ハードディスク又はＥＥＰＲＯＭ（登録商標）などの不揮発性の記憶部である。記憶部１６には、制御部１７によって実行される後述する復元処理などを実行するための各種の制御プログラム、及び後述するメモ領域画像などが記憶される。
【００２０】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２１】
具体的に、制御部１７は、共通画像生成部１７１、一致度算出部１７２、一致度表示部１７３、通知部１７４、傾き補正部１７５、及び第１閾値制御部１７６を含む。なお、制御部１７は、前記制御プログラムに従って各種の処理を実行することによりこれらの各処理部として機能する。また、制御部１７は、これらの各処理部の一部又は複数の処理機能を実現する電子回路を備えるものであってもよい。
【００２２】
［画像形成装置の動作］
次に、図３〜図１１を参照しつつ、画像形成装置１の動作について説明する。
【００２３】
例えば、未記入の定型用紙（例えば、図３に示す未記入定型用紙２０）が複数枚配布されて、それぞれの記入欄に文字などが記入されることがある。ここで、未記入の定型用紙が複数枚必要である場合、未記入の定型用紙が１枚あれば、複写機又は複写機能を有する複合機によって、未記入の定型用紙の画像を読み取って、未記入の定型用紙の画像を所望の枚数のシートに印刷することが可能である。しかしながら、未記入の定型用紙が必要であるにも関わらず、記入済みの定型用紙（例えば、図３に示す記入済定型用紙２１ａ、２１ｂ）しか存在しない場合には、例えば、当該記入済みの定型用紙に記入されている文字又は画像などをユーザーが事前に手作業で消去することが考えられるが、このような作業は手間がかかる。なお、関連技術として、会社のロゴが予め印刷された定型用紙に対して原稿の画像を印刷する際に、原稿の画像に含まれているロゴが、定型用紙に予め印刷されているロゴと重なるのを防止することによって、高画質の印刷物を得ることが可能な画像形成装置が存在する。この画像形成装置では、前記原稿の画像と前記定型用紙の画像とを比較することによって、前記原稿の画像からロゴが除去される。しかしながら、この画像形成装置では、除去対象となる画像が既知であることが必要であるため、定型用紙に任意に記入された不特定の文字又は画像などを除去することはできない。
【００２４】
これに対して、本実施形態に係る画像形成装置１では、以下で説明する画像処理方法によって、複数の記入済みの定型用紙から、未記入又は未記入に近い状態の定型用紙の画像データを生成することができる。
【００２５】
画像形成装置１の制御部１７は、例えば操作表示部１１の操作部を通じて入力されるユーザーからの復元開始指示に応じて、復元処理の実行を開始する。前記復元処理は、複数の記入済みの定型用紙から、未記入又は未記入に近い状態の定型用紙を復元するための処理である。以下では、図３に示す２枚の記入済定型用紙２１ａ、２１ｂに基づいて前記復元処理が実行される場合について説明する。図３に示すように、記入済定型用紙２１ａ、２１ｂには文字２２が記入されており、汚れ２３も付着している。ユーザーは、例えば、ＡＤＦ１２に記入済定型用紙２１ａ、２１ｂをセットした状態で、前記復元開始指示を入力する。なお、ＡＤＦ１２を使用する代わりに、ユーザーは、画像読取部１３の原稿台に記入済定型用紙２１ａ、２１ｂを順次セットしてもよい。なお、以下の説明において、個々の記入済定型用紙を「記入済定型用紙２１」と総称することがある。
【００２６】
前記復元開始指示が入力されると、ＡＤＦ１２によって記入済定型用紙２１ａ、２１ｂ（原稿）が順次搬送され、画像読取部１３によって記入済定型用紙２１ａ、２１ｂの画像が順次読み取られる。その結果、画像読取部１３によって、記入済定型用紙２１ａ、２１ｂに対応する原稿画像データ３０ａ、３０ｂ（図４参照）がそれぞれ生成される。なお、以下の説明において、個々の原稿画像データを「原稿画像データ３０」と総称することがある。
【００２７】
共通画像生成部１７１は、図４に示すように、上記のようにして画像読取部１３によって生成された原稿画像データ３０ａ、３０ｂから共通画像データ３１を生成する。共通画像データ３１は、原稿画像データ３０ａ、３０ｂにおける非共通部分の視認性を低下させた画像データである。共通画像データ３１は、例えば、原稿画像データ３０と同一サイズ（同一画素数）の画像データである。共通画像生成部１７１による共通画像データ３１の生成方法としては、種々の方法が考えられるので、以下では、代表的な共通画像生成方法について説明する。
【００２８】
［第１の共通画像生成方法］
図５は、第１の共通画像生成方法について説明するための図である。図５は、原稿画像データ３０ａ、３０ｂ及び共通画像データ３１における同一範囲の１６個の画素を示している。図５において、原稿画像データ３０ａ、３０ｂ及び共通画像データ３１は、モノクロ２値画像データである。
【００２９】
共通画像生成部１７１は、複数の原稿画像データ３０における同一座標の全ての画素の画素値が黒色を示す画素値である場合には、共通画像データ３１における同一座標の画素の画素値を黒色を示す画素値に設定する。例えば、図５において、原稿画像データ３０ａ、３０ｂにおける画素Ｐ（１，２）の画素値はいずれも黒色を示す画素値である。よって、共通画像生成部１７１は、共通画像データ３１における画素Ｐ（１，２）の画素値を黒色を示す画素値に設定する。
【００３０】
また、共通画像生成部１７１は、複数の原稿画像データ３０における同一座標の画素のうちの少なくとも１つの画素値が白色を示す画素値である場合には、共通画像データ３１における同一座標の画素の画素値を白色（透明色を含む）を示す画素値に設定する。例えば、図５において、原稿画像データ３０ａ、３０ｂにおける画素Ｐ（１，１）の画素値はいずれも白色を示す画素値である。よって、共通画像生成部１７１は、共通画像データ３１における画素Ｐ（１，１）の画素値を白色を示す画素値に設定する。また、図５において、原稿画像データ３０ａ、３０ｂにおける画素Ｐ（３，３）の画素値は、一方が黒色を示す画素値であり、他方が白色を示す画素値である。よって、共通画像生成部１７１は、共通画像データ３１における画素Ｐ（３，３）の画素値を白色を示す画素値に設定する。
【００３１】
この結果、複数の原稿画像データ３０における共通部分に対応する共通画像データ３１における画素の画素値は、原稿画像データ３０と同じ色を示す画素値に設定され、複数の原稿画像データにおける非共通部分に対応する共通画像データ３１における画素の画素値は、白色を示す画素値（本発明の「予め設定される特定値」の一例）に設定される。よって、図４に示すように、共通画像データ３１は、未記入又は未記入に近い状態の定型用紙の画像データとなる。
【００３２】
このように、第１の共通画像生成方法では、原稿画像データ３０ａ、３０ｂにおける同一座標の画素の画素値を示す２値データの組み合わせに応じて、共通画像データ３１における同一座標の画素の画素値を示す２値データが生成される。よって、第１の共通画像生成方法は、単純なＡＮＤ回路によって実現することが可能であり、簡単な構成で且つ高速に共通画像データ３１を生成することが可能である。
【００３３】
なお、図４に示すように、共通画像データ３１には、複数の残留点３２が含まれることがある。これらの残留点３２は、原稿画像データ３０ａにおける文字２２又は汚れ２３と、原稿画像データ３０ｂにおける文字２２又は汚れ２３との交点である。これらの残留点３２は、例えば、図６に示すように、画像読取部１３によって、より多くの記入済定型用紙２１を読み取り、共通画像データ３１において、より多くの原稿画像データ３０に基づいて前記第１の共通画像生成方法によって共通画像データ３１を生成することによって、減らすことが可能である。もしくは、制御部１７が、残留点３２が含まれる共通画像データ３１に対して、例えば孤立点を除去するような画像処理を施すことによって、残留点３２を消去してもよい。もしくは、制御部１７が、残留点３２が含まれる共通画像データ３１を操作表示部１１の表示部に表示して、ユーザー操作に応じて残留点３２を消去してもよい。
【００３４】
［第２の共通画像生成方法］
図７及び図８は、第２の共通画像生成方法について説明するための図である。図７及び図８も、図５と同様に、原稿画像データ３０ａ、３０ｂ及び共通画像データ３１における同一範囲の１６個の画素を示している。図７及び図８において、原稿画像データ３０ａ、３０ｂ及び共通画像データ３１は、２５６階調のグレースケール画像データである。原稿画像データ３０ａ、３０ｂがグレースケール画像データ（特に、多階調のグレースケール画像データ）である場合には、原稿画像データ３０ａ、３０ｂにおける同一座標の画素が共通部分（例えば、未記入定型用紙２０に含まれている文字又は直線）であったとしても、それらの画素の画素値が少しずれていることがあり得る。
【００３５】
そこで、第２の共通画像生成方法では、共通画像生成部１７１は、複数の原稿画像データ３０における同一座標の全ての画素の画素値が特定範囲内（例えば、黒色を示す画素値「０」〜灰色を示す画素値「１２７」の範囲内）である場合には、共通画像データ３１における同一座標の画素の画素値を前記特定範囲内の画素値に設定する。例えば、図７において、原稿画像データ３０ａ、３０ｂにおける画素Ｐ（１，２）の画素値はいずれも「０」〜「１２７」の範囲内の画素値である。よって、共通画像生成部１７１は、共通画像データ３１における画素Ｐ（１，２）の画素値を、例えば「０」に設定する。なお、前記特定範囲の境界値（例えば、１２７）は、ユーザー操作に応じて変更されてもよい。もしくは、前記特定範囲の境界値は、原稿画像データ３０の画素値の分布状態に基づいて、文字又は線の色と、地色とのほぼ中間の色に対応する画素値に設定されてもよい。
【００３６】
また、共通画像生成部１７１は、複数の原稿画像データ３０における同一座標の画素のうちの少なくとも１つの画素値が前記特定範囲外である場合には、共通画像データ３１における同一座標の画素の画素値を前記特定範囲外の画素値に設定する。例えば、図７において、原稿画像データ３０ａ、３０ｂにおける画素Ｐ（１，１）の画素値はいずれも「０」〜「１２７」の範囲外の画素値である。よって、共通画像生成部１７１は、共通画像データ３１における画素Ｐ（１，１）の画素値を、例えば「２５５」に設定する。また、図７において、原稿画像データ３０ａ、３０ｂにおける画素Ｐ（３，３）の画素値は、一方が「０」〜「１２７」の範囲内の画素値であり、他方が「０」〜「１２７」の範囲外の画素値である。よって、共通画像生成部１７１は、共通画像データ３１における画素Ｐ（３，３）の画素値も「２５５」に設定する。
【００３７】
なお、図７に示した例では、共通画像データ３１の各画素の画素値は、「０」又は「２５５」に設定される。この場合、未記入定型用紙２０に含まれている文字又は線の色が黒色ではなくて濃い灰色である場合には、共通画像データ３１においては、これらの文字又は線の色が黒色に変わってしまう。同様に、未記入定型用紙２０における地色が白色ではなくて薄い灰色である場合には、共通画像データ３１においては、地色が白色に変わってしまう。
【００３８】
そこで、このような色の変化を抑制するために、共通画像生成部１７１は、原稿画像データ３０の画素値の分布状態を検出することによって、未記入定型用紙２０に含まれている文字又は線の色を検出し、当該検出された色に対応する画素値を、前記「０」の代わりに設定してもよい。同様に、共通画像生成部１７１は、原稿画像データ３０の画素値の分布状態を検出することによって、未記入定型用紙２０の地色を検出し、当該検出された地色に対応する画素値を、前記「２５５」の代わりに設定してもよい。
【００３９】
なお、上記のように未記入定型用紙２０に含まれている文字又は線の色を検出したり、未記入定型用紙２０の地色を検出したりする代わりに、複数の原稿画像データ３０における同一座標の画素の画素値の平均値を用いることによって、上記のような色の変化を抑制することも可能である。例えば、図８において、原稿画像データ３０ａ、３０ｂにおける画素Ｐ（１，２）の画素値はいずれも「０」〜「１２７」の範囲内の画素値である。よって、共通画像生成部１７１は、共通画像データ３１における画素Ｐ（１，２）の画素値を、原稿画像データ３０ａにおける画素Ｐ（１，２）の画素値「２４」と原稿画像データ３０ｂにおける画素Ｐ（１，２）の画素値「２２」の平均値である「２３」に設定する。また、図８において、原稿画像データ３０ａ、３０ｂにおける画素Ｐ（３，１）の画素値はいずれも「０」〜「１２７」の範囲外の画素値である。よって、共通画像生成部１７１は、共通画像データ３１における画素Ｐ（３，１）の画素値を、原稿画像データ３０ａにおける画素Ｐ（３，１）の画素値「２５２」と原稿画像データ３０ｂにおける画素Ｐ（３，１）の画素値「２４８」の平均値である「２５０」に設定する。なお、図８において、原稿画像データ３０ａ、３０ｂにおける画素Ｐ（３，３）の画素値は、一方が「０」〜「１２７」の範囲内の画素値であり、他方が「０」〜「１２７」の範囲外の画素値である。よって、共通画像生成部１７１は、原稿画像データ３０ｂにおける画素Ｐ（３，３）の画素値が未記入定型用紙２０の地色を示しているとみなし、共通画像データ３１における画素Ｐ（３，３）の画素値を、原稿画像データ３０ｂにおける画素Ｐ（３，３）の画素値と同じ画素値である「２４２」に設定する。
【００４０】
上記のようにして共通画像生成部１７１によって生成された共通画像データ３１は、例えば、画像形成部１４における画像形成処理で用いられる。すなわち、画像形成部１４は、共通画像生成部１７１によって生成された共通画像データ３１に基づいてシート上に画像を形成する。なお、共通画像データ３１は、通信Ｉ／Ｆ１５を通じて他の画像形成装置又は情報処理装置に送信されてもよい。
【００４１】
［斜め読込みへの対策］
ところで、前述した第１の共通画像生成方法及び第２の共通画像生成方法では、複数の原稿画像データ３０における同一座標の画素の画素値を比較することによって、共通部分（すなわち、未記入定型用紙２０に予め含まれている文字、線など）と非共通部分（すなわち、未記入定型用紙２０に書き込まれた文字２２、又は未記入定型用紙２０に付着した汚れ２３など）とが判別される。よって、例えば、図９に示すように、原稿画像データ３０ｂに含まれている記入済定型用紙２１ｂの画像が斜めに傾いていると、図９に示す共通画像データ３１のように、共通部分がほとんど存在しないような共通画像データ３１が生成されてしまうことになる。これは、画像読取部１３によって記入済定型用紙２１ｂの画像が読み取られる際に、記入済定型用紙２１ｂが斜めに傾いた状態で読み取られたこと（斜め読込み）が原因である。
【００４２】
上記のような斜め読込みへの対策としては、種々の対策が考えられる。以下、代表的な対策について説明する。
【００４３】
１つ目の対策は、生成された共通画像データ３１を示す画像を、操作表示部１１の表示部に表示して、ユーザーに確認させることである。ユーザーは、前記表示部に表示された共通画像データ３１を示す画像を確認し、必要に応じて、ＡＤＦ１２に記入済定型用紙２１ａ、２１ｂをセットし直して前記復元開始指示を再度入力する。
【００４４】
２つ目の対策は、原稿画像データ３０ａ，３０ｂ間の一致度を操作表示部１１の表示部に表示して、ユーザーに確認させることである。この場合、制御部１７の一致度算出部１７２は、原稿画像データ３０ａ，３０ｂ間の一致度を算出する。そして、制御部１７の一致度表示部１７３は、一致度算出部１７２によって算出される一致度を、例えば前記表示部に表示する。一致度とは、原稿画像データ３０ａ，３０ｂが一致している度合いを示す任意の指標である。一致度は、例えば、原稿画像データ３０の全画素数に対する、前記共通部分として検出される画素数の比率であってもよい。または、一致度は、複数の原稿画像データ３０に基づいて生成される共通画像データ３１に含まれる黒色の画素の数であってもよい。または、一致度は、複数の原稿画像データ３０のうちのいずれか１つに含まれる黒色を示す画素の数に対する、これらの複数の原稿画像データ３０に基づいて生成される共通画像データ３１に含まれる黒色を示す画素の数の比率であってもよい。ユーザーは、前記表示部に表示された一致度を確認し、必要に応じて、ＡＤＦ１２に記入済定型用紙２１ａ、２１ｂをセットし直して前記復元開始指示を再度入力する。
【００４５】
３つ目の対策は、一致度算出部１７２によって算出される一致度が低い場合に、原稿の再読取りをユーザーに促す通知を行うことである。この場合、制御部１７の通知部１７４は、一致度算出部１７２によって算出される一致度が第２閾値未満である場合に、例えば操作表示部１１の表示部を通じて、原稿の再読取りをユーザーに促す通知を行う。ユーザーは、前記表示部に表示された通知を確認し、必要に応じて、ＡＤＦ１２に記入済定型用紙２１ａ、２１ｂをセットし直して前記復元開始指示を再度入力する。
【００４６】
４つ目の対策は、原稿画像データ３０ｂに対して傾き補正を施すことである。この場合、制御部１７の傾き補正部１７５は、一致度算出部１７２によって算出される一致度に基づいて、原稿画像データ３０ａ，３０ｂの少なくとも一方に対して傾き補正を行う。例えば、傾き補正部１７５は、一致度算出部１７２によって算出される一致度ができるだけ最大になるように、原稿画像データ３０ａ，３０ｂの少なくとも一方に対して傾き補正を行う。これにより、例えば、図９に示す原稿画像データ３０ｂが、図４に示す原稿画像データ３０ｂのように補正される。
【００４７】
５つ目の対策は、図６に示すように３つ以上の原稿画像データ３０に基づいて共通画像データ３１が生成される場合において、各画素が前記共通部分に相当する否かを判定する際の条件を緩めることである。以下、図１０及び図１１を参照しつつ、当該５つ目の対策について具体的に説明する。
【００４８】
共通画像生成部１７１は、複数の原稿画像データ３０における同一座標の画素における特定範囲内の画素値を有する画素の比率が第１閾値（例えば、８０％）以上である場合には、共通画像データ３１における同一座標の画素の画素値を前記特定範囲内の画素値に設定する。また、共通画像生成部１７１は、複数の原稿画像データ３０における同一座標の画素における前記特定範囲内の画素値を有する画素の比率が前記第１閾値未満である場合には、共通画像データ３１における同一座標の画素の画素値を前記特定範囲外の画素値に設定する。
【００４９】
例えば、共通画像生成部１７１は、図１０に示すように、１０個の原稿画像データ３０（モノクロ２値画像データ）における同一座標の画素Ｐ１〜Ｐ１０における黒色の画素値（前記特定範囲内の画素値の一例）の画素の比率が８０％以上である場合には、共通画像データ３１における同一座標の画素Ｐｃの画素値を、黒色を示す画素値（前記特定範囲内の画素値の一例）に設定する。これにより、複数の原稿画像データ３０のうちの一部の画像が斜めに傾いていたとしても、適切な共通画像データ３１が生成される。
【００５０】
なお、共通画像生成部１７１は、複数の原稿画像データ３０における同一座標の画素における前記特定範囲内の画素値を有する画素の比率が前記第１閾値以上である場合に、共通画像データ３１における同一座標の画素の画素値を、複数の原稿画像データ３０における同一座標の画素における前記特定範囲内の画素値を有する画素の画素値の平均値に設定してもよい。例えば、共通画像生成部１７１は、図１１に示すように、１０個の原稿画像データ３０（グレースケール画像データ）における同一座標の画素Ｐ１〜Ｐ１０における「０」〜「１２７」の範囲内の画素値（前記特定範囲内の画素値の一例）を有する画素の比率が８０％以上である場合には、共通画像データ３１における同一座標の画素Ｐｃの画素値を、画素Ｐ１〜Ｐ１０における「０」〜「１２７」の範囲内の画素値を有する画素（すなわち、画素Ｐ１〜Ｐ３，Ｐ５〜Ｐ７，Ｐ９，Ｐ１０）の画素値の平均値である「２７」に設定してもよい。
【００５１】
また、共通画像生成部１７１は、複数の原稿画像データ３０における同一座標の画素における前記特定範囲内の画素値を有する画素の比率が前記第１閾値未満である場合に、共通画像データ３１における同一座標の画素の画素値を、複数の原稿画像データ３０における同一座標の画素における前記特定範囲外の画素値を有する画素の画素値の平均値に設定してもよい。例えば、共通画像生成部１７１は、図１２に示すように、１０個の原稿画像データ３０（グレースケール画像データ）における同一座標の画素Ｐ１〜Ｐ１０における「０」〜「１２７」の範囲内の画素値（前記特定範囲内の画素値の一例）を有する画素の比率が８０％未満である場合には、共通画像データ３１における同一座標の画素Ｐｃの画素値を、画素Ｐ１〜Ｐ１０における「０」〜「１２７」の範囲外の画素値を有する画素（すなわち、画素Ｐ１，Ｐ２，Ｐ４，Ｐ６〜Ｐ１０）の画素値の平均値である「２５０」に設定してもよい。
【００５２】
なお、前記第１閾値の最適値は、未記入定型用紙２０に含まれている文字等の太さ、又はＡＤＦ１による記入済定型用紙２１の搬送精度などによって変化し得る。そこで、制御部１７の第１閾値制御部１７６は、ユーザー操作に応じて前記第１閾値を変更してもよい。
【００５３】
［復元処理の手順］
次に、図１３を参照しつつ、制御部１７によって実行される復元処理の手順の一例について説明する。ここで、ステップＳ１，Ｓ２，・・・は、制御部１７により実行される処理手順（ステップ）の番号を表している。なお、前記復元処理は、例えば、操作表示部１１の操作部を通じて入力されるユーザーからの復元開始指示に応じて開始される。なお、ここでは、図５を参照して説明した前記第１の共通画像生成方法を用いた場合の前記復元処理の手順について説明する。
【００５４】
＜ステップＳ１＞
まず、ステップＳ１において、制御部１７は、例えば、ＡＤＦ１２にセットされている原稿を、画像読取部１３によって１枚読み取る。この結果、読み取られた原稿の画像を示す原稿画像データ３０が生成される。当該原稿画像データ３０は、制御部１７のＲＡＭ又は記憶部１６に記憶される。
【００５５】
＜ステップＳ２＞
ステップＳ２において、制御部１７は、ＡＤＦ１２にセットされていた全原稿の読取処理が完了したか否かを判断する。そして、全原稿の読取処理が完了したと判断されると（Ｓ２：Ｙｅｓ）、処理がステップＳ３に進む。一方、全原稿の読取処理が完了していないと判断されると（Ｓ２：Ｎｏ）、処理がステップＳ１に戻り、次の原稿の読取処理が行われる。
【００５６】
＜ステップＳ３＞
ステップＳ３において、制御部１７は、原稿画像データ３０に含まれる全画素の中から、注目画素を選択する。例えば、制御部１７は、原稿画像データ３０に含まれる全画素の中から、所定の順番で、注目画素を順次選択する。
【００５７】
＜ステップＳ４＞
ステップＳ４において、制御部１７は、ステップＳ１における複数回の読取処理で生成された複数の原稿画像データ３０における前記注目画素（同一座標を有する画素）の画素値が、全て黒色を示す画素値であるか否かを判断する。そして、複数の原稿画像データ３０における前記注目画素の画素値が全て黒色を示す画素値であると判断されると（Ｓ４：Ｙｅｓ）、処理がステップＳ５に移行する。一方、複数の原稿画像データ３０における前記注目画素の画素値に白色を示す画素値が含まれていると判断されると（Ｓ４：Ｎｏ）、処理がステップＳ６に進む。
【００５８】
なお、図１３に示すフローチャートでは、前記複数の原稿画像データ３０における前記注目画素の画素値が全て黒色を示す画素値であると判断された場合に、処理がステップＳ５に移行するが、他の実施形態では、前記複数の原稿画像データ３０における前記注目画素の画素値の中に黒色を示す画素値が所定割合以上（例えば８０％以上）含まれていると判断された場合に、処理がステップＳ５に移行してもよい。
【００５９】
＜ステップＳ５＞
ステップＳ５において、制御部１７は、前記注目画素に対応する共通画像データＳ５の画素の画素値を、黒色を示す画素値に設定する。
【００６０】
＜ステップＳ６＞
ステップＳ６において、制御部１７は、前記注目画素に対応する共通画像データＳ５の画素の画素値を、白色を示す画素値に設定する。
【００６１】
＜ステップＳ７＞
ステップＳ７において、制御部１７は、原稿画像データ３０の全画素の処理が完了したか否か（すなわち、原稿画像データ３０の全画素が前記注目画素として選択されたか否か）を判断する。そして、原稿画像データ３０の全画素の処理が完了したと判断されると（Ｓ７：Ｙｅｓ）、前記復元処理は終了する。一方、原稿画像データ３０において未処理の画素が残っていると判断されると（Ｓ７：Ｎｏ）、処理がステップＳ３に戻る。
【００６２】
なお、以上のステップＳ１の処理（画像読取ステップ）は、制御部１７からの指令に応じて画像読取部１３によって実行される。また、ステップＳ３〜Ｓ７の処理（共通画像生成ステップ）は、制御部１７の共通画像生成部１７１によって実行される。
【００６３】
以上のように、本実施形態に係る画像形成装置１によれば、画像読取部１３による複数回の読取処理で生成される複数の原稿画像データ３０に基づいて、当該複数の原稿画像データ３０における非共通部分の視認性を低下させた共通画像データ３１が生成される。よって、文字又は画像などが任意に記入された定型用紙のような原稿から、未記入又は未記入に近い状態の原稿の画像データを容易に生成することが可能である。
【００６４】
なお、他の実施形態として、共通画像生成部１７１は、共通画像データ３１における各画素の画素値を、複数の原稿画像データ３０における同一座標の画素の画素値の平均値に設定してもよい。例えば、図１４に示すように、１０個の原稿画像データ３０（グレースケール画像データ）における同一座標の画素Ｐ１〜Ｐ１０の画素値の平均値「２２６」を算出し、共通画像データ３１における同一座標の画素Ｐｃの画素値を前記平均値「２２６」に設定してもよい。これにより、画素Ｐ１〜Ｐ１０の中に、非共通部分（すなわち、未記入定型用紙２０に書き込まれた文字２２、又は未記入定型用紙２０に付着した汚れ２３など）に対応する画素（画素Ｐ６）が含まれている場合でも、共通画像データ３１における同一座標の画素Ｐｃの画素値は、残りの画素（画素Ｐ１〜５，Ｐ７〜Ｐ１０）の画素値に近い値となる。よって、非共通部分の視認性を低下させた共通画像データ３１が生成される。
【符号の説明】
【００６５】
１  画像形成装置
１１  操作表示部
１２  ＡＤＦ
１３  画像読取部
１４  画像形成部
２０  未記入定型用紙
２１，２１ａ，２１ｂ  記入済定型用紙
２２  文字
２３  汚れ
３０，３０ａ，３０ｂ  原稿画像データ
３１  共通画像データ
３２  残留点
【図１】
0006524942.tif 000002
【図２】
0006524942.tif 000003
【図３】
0006524942.tif 000004
【図４】
0006524942.tif 000005
【図５】
0006524942.tif 000006
【図６】
0006524942.tif 000007
【図７】
0006524942.tif 000008
【図８】
0006524942.tif 000009
【図９】
0006524942.tif 000010
【図１０】
0006524942.tif 000011
【図１１】
0006524942.tif 000012
【図１２】
0006524942.tif 000013
【図１３】
0006524942.tif 000014
【図１４】
0006524942.tif 000015